(57)【特許請求の範囲】
【請求項１】
魚釣りに用いる釣竿であって、
竿本体と、
前記竿本体の穂先側先端部に設けられた第１糸係止手段と、
前記竿本体の前記第１糸係止手段の装着部より所定の距離手元側に離れた位置に設けられた第２糸係止手段と、
を備え、
前記第１糸係止手段はフック状部材であって、糸を結びつけることができる糸結び部と、
糸を挟み込んで係止可能な仮止め部と、糸を引っかけて係止可能な糸係止部とを備えている、
釣竿。
【請求項２】
前記竿本体は複数の竿体を連結した部材であって、
前記第１糸係止手段は、最も穂先側に連結された第１竿体の先端部に設けられており、
前記第２糸係止手段は、前記第１竿体に連結された手元側の第２竿体の先端部に設けられている、
請求項１に記載の釣竿。
【発明の詳細な説明】
【０００１】
【発明の属する技術分野】
本発明は、竿体の穂先にライン（釣り糸）を係止して用いる釣竿（以下、手竿という）に関する。
【０００２】
【従来の技術】
手竿を用いて魚釣りを行う場合、川幅，水深等の釣り環境に合わせてラインの長さを調整する必要がある。従来の手竿は、竿体と、竿体の穂先に係止されたライン（釣り糸）と、ライン上に移動可能に設けられておりラインを止めておくことができる糸止めと、ラインの先端の設けられたジグ（仕掛け）とを有している。そして、糸止めを移動させて、ラインの穂先側の一端と糸止めとの間の距離を調整する。ラインの穂先と糸止めとの間はラインが２重になっているので、このラインが２重になっている間の距離を調節にすることによって、ライン全体の長さを調整することができる。
【０００３】
【発明が解決しようとする課題】
前記従来の手竿では、ラインに設けられている糸止め自体に重さがあるので、ラインの先端に設けられているジグを水中で自由に動かしにくい。また、ジグを水中に投げ入れる場合、ラインの途中にある糸止めによってラインの途中に重心位置が生じてしまい、ユーザが狙った場所にジグを投げ入れることが難しい。
【０００４】
本発明の解決しようとする課題は、容易にラインの長さを調整することができる釣竿を提供することにある。
【０００５】
【課題を解決するための手段】
発明１に係る釣竿は、魚釣りに用いる釣竿であって、竿本体と、竿本体の穂先側先端部に設けられた第１糸係止手段と、竿本体の第１糸係止手段の装着部より所定の距離手元側に離れた位置に設けられた第２糸係止手段とを備えている。そして、第１糸係止手段はフック状部材であって、糸を結びつけることができる糸結び部と、糸を挟み込んで係止可能な仮止め部と、糸を引っかけて係止可能な糸係止部とを備えている。
【０００６】
この場合には、釣竿は、必要に応じてラインを第１糸係止手段と第２糸係止手段とにそれぞれ引っかけて用いられる。ラインは、第１糸係止手段と第２糸係止手段との間をラインが複数回往復することになり、ライン全体の長さが調整される。この結果、ユーザは容易にラインの長さを調整でき、釣り環境に応じた適当な長さのラインで釣りをすることができる。
【０００７】
また、必要に応じて、以下のようにラインを配置して長さを調整することができる。まず、ラインは第１糸係止手段の糸の結び部に結びつけられる。そして、このラインを元竿方向に導いて第２糸係止手段に引っかける。この第２糸係止手段でラインは反転されて穂先方向に導かれ、第１糸係止手段の糸係止部に引っかけられる。この第１糸係止手段の糸係止部と第２糸係止手段の間を必要に応じて往復させる。必要な長さになったところで、ラインを第１糸係止手段の仮止め部に挟み込んで仮止めし、穂先からラインを垂らす。
【０００８】
発明２に係る釣竿は、発明１の釣竿であって、竿本体は複数の竿体を連結した部材であって、第１糸係止手段は、最も穂先側に連結された第１竿体の先端部に設けられており、第２糸係止手段は、第１竿体に連結された手元側の第２竿体の先端部に設けられている。
【０００９】
この場合には、第１竿体と第２竿体にそれぞれ設けられている糸係止手段に釣り糸を係止することにより、複数の釣竿を連結して用いる並継ぎ竿であっても、ラインの長さを容易に調節できる。
【００１０】
【発明の実施の形態】
［第１実施形態］
以下、本発明の第１実施形態について、図面を参照しつつ説明する。
【００１１】
第１実施形態に係る手竿１は、図１に示すように、竿本体２と、竿本体２の手元側の端部に配置された元竿グリップ３と、元竿グリップ３の穂先方向において竿本体２の外周に配置される前グリップ４と、竿本体２の穂先側先端に設けられた第１フック（第１係止手段）１０と、竿本体２中央より穂先よりに設けられた第２フック（第２糸係止手段）２０とを有している。
【００１２】
この竿本体２は、例えば、炭素繊維の強化繊維に樹脂を浸透させたシート上のプリプレグをマンドレルに巻回して形成された、穂先側が細いテーパ状でかつ筒状の部材である。元竿グリップ３は、竿本体２の竿尻に嵌め込まれ、接着剤で接着された蓋付き円筒形状の部材であり、ウレタンゴム等のゴム系弾性体，アクティマー（商標）等のスチレンブロック共重合体，ラバロン（商標）等の弾性体製部材である。また、前グリップ４は、穂先側がやや小計の先細りテーパ状の円筒部材であり、元竿グリップ３と同様に、ウレタンゴム等からなる部材である。
【００１３】
第１フック１０は、図２に示すように、スチール，ステンレス等の線状金属部材から成るフック状の部材であって、竿元側の端部にはフック状の折り返し１０ａを有している。この折り返し１０ａはラインを引っかけて係止できる係止部１１となっている。また、第１フック１０の穂先側先端は１８０度方向に折り返されわずかな隙間をあけて並列になっている並列部分１０ｂが設けられており、この並列部分１０ｂが、ラインを挟み込んで仮止めできる仮止め部１３となっている。さらに、折り返し１０ａより穂先側には、ラインを結びつけて固定することができる輪状の糸結び部１２が設けられている。第１フック１０は金属製線状部材を所望の形状に成形した後に、竿本体２に接着されて固定されている。
【００１４】
第２フック２０は、第１フック１０と同様に、金属製部材からなるフック状の部材であり、穂先側に折り返し２０ａを有し、竿本体２に接着されて固定されている。
【００１５】
このような構成を有する手竿１では、ラインは次のように処理される。
【００１６】
図３（ａ）に示すように、ライン１００の一端は第１フック１０の糸結び部１２に結ばれ係止されている。ライン１００が第１フック１０及び第２フック２０に係止していない場合は、ライン１００はこの糸結び部１２から直接垂れ出ている。
【００１７】
一方、ライン１００の長さを調整する場合は、図３（ｂ）に示すように、ライン１００を糸結び部１２から竿元方向に導き、第２フック２０に引っかける。このフック２０によって引っかけた後、ライン１００を１８０度方向転換し穂先側に導く。次に、ライン１００を第１フック１０の糸係止部１１に引っかけた後、再度１８０度方向転換し竿元方向に導く。その後、長さの調整が必要な分だけ第２フック２０と第１フック１０の糸係止部１１との間でライン１００を掛け渡す。適当な長さにおいて、ライン１００を第１フック１０の仮止め部１３に挟み込んで仮止めする。
【００１８】
以上のように、本発明の第１実施形態に係る手竿１では、ライン１００を第１フック１０と第２フック２０との間で必要なだけ往復させた後に仮止め部１３に仮止めできるので、ライン１００の長さを、釣り環境に合わせた適当な長さに容易に調整することができる。
【００１９】
［第２実施形態］
以下、本発明の第２実施形態について、図を参照しつつ説明する。
【００２０】
第２実施形態に係る手竿４０は並継ぎ竿であって、図４に示すように、第１竿体４１と、第１竿体４１の手元側の一端に嵌合して連結されている第２竿体４２と、第２竿体４２の手元側の一端に嵌合して連結されている第３竿体４３と、第３竿体４３の端部に配置された元竿グリップ４４と、元竿グリップ３の穂先方向において第３竿体４３の外周に配置される前グリップ４５とを有している。そして、第１竿体４１の穂先側先端には第１フック５０が設けられ、第２竿体４２の穂先側先端には第２フック６０が設けられている。
【００２１】
この第１竿体４１，第２竿体４２，第３竿体４３は持ち運び時においては個々に分解され、使用時においては順に嵌合され連結されて１本の竿体として用いられるものである。
【００２２】
第１フック５０は、図５に示すように、スチール，ステンレス等の金属部材から成るフック状の部材であって、竿元側にフック状の折り返し５０ａを向けて竿体４１の穂先側先端に固定されている。そして、この折り返し５０ａがライン１００を引っかけて係止することができる係止部５１となっている。第１フック５０の折り返し５０ａより竿元側の中央付近には、ライン１００を結びつけて固定することができる輪状の糸結び部５２が設けられており、さらに、第１フック５０の穂先側先端には頭部に細い切込み５３ａを有する柱状部材が設けられており、この柱状部材が、切込み５３ａにライン１００を挟み込んで係止することができる仮止め部５３となっている。
【００２３】
なお、その他の構成については、第１実施形態と同様であり説明を省略する。
【００２４】
以上のような構成を有する本発明の第２実施形態に係る手竿１では、第１実施形態と同様の作用効果を得ることができる。
【００２５】
［その他の実施形態］
（ａ）竿体は上記各実施の形態に限定されるものではなく、例えば、振り出し竿でもよい。
【００２６】
（ｂ）第１フック及び第２フックは、例えば、ＡＢＳ，フェノール樹脂等の合成樹脂製部材を用いることもできる。
【００２７】
（ｃ）第２フックは、竿本体上の任意の位置に設けることができる。
【００２８】
【発明の効果】
本発明によれば、第１糸係止手段と第２糸係止手段とにラインを係止して往復させることができるようにしたので、釣り場の環境に合わせてラインの長さを容易に調整することができる。
【図面の簡単な説明】
【図１】  本発明の第１実施形態を採用した釣竿の全体図。
【図２】  図１の第１フックと第２フックとの拡大図。
【図３】  本発明の第１実施形態に係る釣竿において、第２フックにラインを係止した場合（ａ）と、第２フックにラインを係止している場合（ｂ）を示した図。
【図４】  本発明の第２実施形態を採用した釣竿の全体図。
【図５】  図４の第１フック部の拡大図。
【符号の説明】
２ 竿本体
１０，５０ 第１フック
２０ 第２フック
１１，５１ 糸係止部
１２，５２ 糸結び部
１３，５３ 仮止め部
【図１】
0003844556.tif 000002
【図２】
0003844556.tif 000003
【図３】
0003844556.tif 000004
【図４】
0003844556.tif 000005
【図５】
0003844556.tif 000006